(57)【要約】【課題】係止部に弾性疲労が生じても凹凸形状における凹部への係止力を維持することにより、検知センサ又は撮像手段の位置ずれを確実に防止することができる監視装置を提供する。【解決手段】監視装置本体と、熱線を透過させる透過部と、熱線を検知するための検知センサが固定された可動部材と、複数の凹凸形状が形成された被係止部と、可動部材の移動に伴い被係止部の凹凸形状に沿って撓みつつ追従し、何れかの凹部に選択的に係止可能な係止部とを具備し、可動部材を移動させてその係止部の被係止部に対する係止位置を任意に調整することにより、検知センサの位置を調整可能な監視装置において、監視装置本体は、ベース部と筐体部とに分割構成とされるとともに、ベース部に筐体部を取り付けた状態にて係止部を被係止部側に押圧する押圧部材が形成されたものである。【選択図】  図２
2004362148.tif 000002
【特許請求の範囲】
【請求項１】
壁又は天井に取り付けられる監視装置本体と、
該監視装置本体内に所定の光を透過させる透過部と、
該透過部により透過された光を検知するための検知センサ又は撮像手段が所定位置に固定されるとともに前記監視装置本体内で移動可能とされた可動部材と、
前記監視装置本体内に形成され、複数の凹凸形状が形成された被係止部と、
前記可動部材に形成され、該可動部材の移動に伴い前記被係止部の凹凸形状に沿って撓みつつ追従し、当該被係止部の何れかの凹部に選択的に係止可能な係止部と、
を具備し、前記可動部材を移動させてその係止部の被係止部に対する係止位置を任意に調整することにより、前記検知センサ又は撮像手段の位置を調整可能な監視装置において、
前記監視装置本体は、壁面又は天井面に固設され得るベース部と、前記透過部、可動部材及び被係止部を有しつつ前記ベース部に取り付けられ得る筐体部とに分割構成とされるとともに、前記ベース部に筐体部を取り付けた状態にて前記係止部を被係止部側に押圧する押圧部材が形成されたことを特徴とする監視装置。
【発明の詳細な説明】
【０００１】
【発明の属する技術分野】
本発明は、壁や天井に取り付けられて、その近傍における人の存在を検知又は撮像することができる監視装置に関するものである。
【０００２】
【従来の技術】
侵入者等の監視を行う監視装置として例えば熱線センサが知られている。従来の壁面に取り付けられるタイプの熱線センサは、その近傍における人が発する遠赤外線を検出することにより人の存在を検知し得るものであり、例えば図１０に示すように、ベース部１０１と、熱線を収束させつつ透過させ得る筐体部１０４と、検知センサＳ及び係止爪１０３ａが形成された樹脂成形品から成る可動部材１０３と、筐体部１０４内に形成されて凹凸形状１０２ａを有する被係止部１０２とから主に構成されていた。
【０００３】
上記可動部材１０３は、被係止部１０２の凹凸形状に沿って同図中ａ方向に摺動可能とされるとともに、係止爪１０３ａは、当該可動部材１０３に形成された切欠で囲まれた突設した部位から成り、同図中ｂ方向へ撓むことが可能とされている。これにより、可動部材１０３をａ方向に摺動させると、係止爪１０３ａがｂ方向に撓んで凹凸形状１０２ａに追随し、凹凸形状１０２ａのうち何れかの凹部に係止爪１０３ａを係止させ得るよう構成されている。
【０００４】
即ち、可動部材１０３の移動に伴って、凹凸形状１０２ａにおける一の凹部から隣接する他の凹部に係止爪１０３ａが移動する際、その間にある凸部を乗り越えるべく当該係止爪１０３ａがｂ方向に撓むよう構成されているのである。こうして任意の凹部に係止爪１０３ａを係止させれば、熱線（遠赤外線）ｍの入射方向に応じて検知センサＳの位置を調整することができる。尚、かかる先行技術は、公知文献発明に係るものではないため、記載すべき先行技術文献情報はない。
【０００５】
【発明が解決しようとする課題】
しかしながら、上記従来の監視装置においては、検知センサＳの位置を調整すべく可動部材１０３を移動させて係止爪１０３ａを撓ませる構造とされているため、長期使用による係止爪１０３ａの弾性疲労等により、凹凸形状１０２ａにおける何れかの凹部と係止爪１０３ａとの係止力が低下し、可動部材１０３の自重や何らかの負荷の付与等により、当該可動部材１０３が不用意に移動してしまって検知センサの位置ずれが生じてしまう虞があった。
【０００６】
具体的には、検知センサＳの位置調整を行う際に可動部材を移動させるのに伴い、凹凸形状１０２ａの凸部を乗り上げるべく係止爪１０３ａ（係止部）がｂ方向へ撓むことにより弾性変形するのであるが、長期使用によって係止爪１０３ａに弾性疲労を生じると、完全には元の状態に戻らなくなる塑性変形が生じたり、元の状態まで戻ったとしても弾力の低下により凹部に対する係止力が低下してしまう虞があった。このような不具合は、熱線センサのみならず、可動部材にカメラ等の撮像手段を具備しつつ上記と同様の調整機構を持った監視装置全般において生じてしまうことは明らかである。
【０００７】
本発明は、このような事情に鑑みてなされたもので、係止部に弾性疲労が生じても凹凸形状における凹部への係止力を維持することにより、検知センサ又は撮像手段の位置ずれを確実に防止することができる監視装置を提供することにある。
【０００８】
【課題を解決するための手段】
請求項１記載の発明は、壁又は天井に取り付けられる監視装置本体と、該監視装置本体内に所定の光を透過させる透過部と、該透過部により透過された光を検知するための検知センサ又は撮像手段が所定位置に固定されるとともに前記監視装置本体内で移動可能とされた可動部材と、前記監視装置本体内に形成され、複数の凹凸形状が形成された被係止部と、前記可動部材に形成され、該可動部材の移動に伴い前記被係止部の凹凸形状に沿って撓みつつ追従し、当該被係止部の何れかの凹部に選択的に係止可能な係止部とを具備し、前記可動部材を移動させてその係止部の被係止部に対する係止位置を任意に調整することにより、前記検知センサ又は撮像手段の位置を調整可能な監視装置において、前記監視装置本体は、壁面又は天井面に固設され得るベース部と、前記透過部、可動部材及び被係止部を有しつつ前記ベース部に取り付けられ得る筐体部とに分割構成とされるとともに、前記ベース部に筐体部を取り付けた状態にて前記係止部を被係止部側に押圧する押圧部材が形成されたことを特徴とする。
【０００９】
【発明の実施の形態】
以下、本発明の実施形態について図面を参照しながら具体的に説明する。
まず、第１の実施形態に係る監視装置は、壁面に取り付けられてその近傍の人の存在を検知する熱線センサであり、図１に示すように、筐体部１及びベース部２から成る監視装置本体と、筐体部１に形成された透過部３とから主に外観が構成されるとともに、筐体部１の上下及びベース部２の上下面からは、当該監視装置本体全体を壁に取り付けるための取付フランジ１ａ、２ａがそれぞれ突出形成されている。
【００１０】
筐体部１は、図２及び図３に示すように、その内部に被係止部４が形成されており、当該被係止部４の表面には複数の凹凸形状４ａが形成されている。本実施形態の場合は、凹凸形状４ａの凹部が縦方向（図２中上下方向）に４つ併設されており、隣接した各凹部間が凸部を成すようになっている。尚、凹凸形状４ａの凹部は複数であれば他の個数（２つ或いは５つ以上）形成するようにしてもよい。
【００１１】
上記被係止部４には、可動部材５が当該被係止部４表面上（凹凸形状４ａが形成された面上）を摺動可能に配設されている。かかる可動部材５は、樹脂成形品から成る矩形状の板状部材であり、図４で示すように、下部に人体から発せられる遠赤外線を検知し得る検知センサＳが固定されるとともに、その左右縁部には、被係止部４の両縁と係止し得る爪部５ｂ、５ｃが形成されており、これら爪部５ｂ、５ｃが図３で示すように当該被係止部４に係止して可動部材５が上下方向に被係止部４上を摺動し得るようになっている。
【００１２】
また、可動部材５の上部には、図４に示すような切欠５ｄが形成されており、かかる切欠５ｄで囲まれた部位である係止部５ａが同図紙面上略垂直方向に撓むことが可能とされている。この係止部５ａは、被係止部４に形成された凹凸形状４ａの何れかの凹部に選択的に係止可能なように突出形成された部位であり、係止する凹部の位置によって検知センサＳの位置が調整可能とされている。
【００１３】
例えば、図２に示すように、係止部５ａを凹凸形状４ａのうち最上部の凹部に係止させれば、検知センサＳは筐体部１内において上方に位置することとなる一方、図７に示すように、最下部の凹部に係止部５ａを係止させれば、当該検知センサＳは筐体部１内において下方に位置することとなる。なお、図２及び図７における符号Ｈは、検知センサＳから延びた配線を示しており、該配線Ｈの先端に形成されたコネクタＣ１とベース部２側のコネクタＣ２（図５参照）とが接続されることにより、当該検知センサＳとベース部２側との電気的な接続が図られるようになっている。
【００１４】
ところで、筐体部１に形成された透過部３は、人体から発せられる遠赤外線を収束させつつ当該筐体部１内に透過させるもので、この透過した遠赤外線が検知センサＳに入射することにより人を検知し得るように構成されている。然るに、予め想定される遠赤外線の透過角度に応じて検知センサＳの位置を上記の如く調整するのであるので、可動部材５を移動させて、その係止部５ａを所定の凹部に係止させる。
【００１５】
ここで、本実施形態における検知センサＳの位置調整は、以下の如く行われる。まず、図５に示すように、筐体部１をベース部２から取り外した後、可動部材５を被係止部４の凹凸形状４ａに沿って摺動させる。このとき、同図においてはコネクタＣ２からコネクタＣ１を取り外しているが、配線Ｈが十分に長ければ取り外さなくてもよい。
【００１６】
その後、例えば可動部材５を下方（同図中Ｙ方向）へ移動させて、被係止部４の凹凸形状４ａにおける任意の凹部に係止部５ａを係止させるのであるが、この可動部材５の移動過程において、係止部５ａは凹凸形状４ａに沿って撓みつつ追従する。即ち、係止部５ａが一の凹部から隣接する他の凹部まで移動する際、その間にある凸部を乗り越える必要があるが、その時、当該係止部５ａが図６に示すＸ方向に撓むことにより凹凸形状４ａの形状に追従するのである。
【００１７】
そして、所定の凹部に係止部５ａが係止するまで可動部材５を移動させた後、コネクタＣ１をコネクタＣ２に接続しつつ再び筐体部１をベース部２に取り付ける。このとき、図７に示すように、ベース部２に形成された押圧部材６が係止部５ａを被係止部４側に押圧することとなる。これにより、係止部５ａに弾性疲労が生じても凹凸形状４ａにおける凹部への係止力を維持することができ、検知センサＳの位置ずれを確実に防止することができる。
【００１８】
即ち、本熱線センサを長期に亘って使用するとともに、検知センサＳの位置調整を行うべく係止部５ａの撓み作用を繰り返すと、当該係止部５ａに弾性疲労が生じてしまい、凹部に対する係止部５ａの係止力が十分に得られなく虞があり、かかる係止力が不十分であると可動部材５の重みで当該可動部材５全体が下方へずれてしまうことにより検知センサＳの位置もずれてしまう可能性がある。
【００１９】
このような不具合を防止すべく、本実施形態においては、筐体部１とベース部２とを分割構成とするとともに、当該筐体部１をベース部２に取り付けた状態において、ベース部２側に形成された押圧部材６によって係止部５ａを凹凸形状４ａの所定の凹部に押圧し、係止力を確保しているのである。これにより、可動部材５の自重によるずれが回避され、検知センサＳの位置を常時所定の位置に保つことができる。
【００２０】
次に、本発明の第２の実施形態に係る熱線センサについて説明する。
本実施形態の熱線センサは、天井面に取り付けられてその近傍の人の存在を検知するためのもので、図８に示すように、筐体部８及びベース部７から成る監視装置本体と、筐体部８内に配設されたミラー部９とから主に構成されている。なお、本実施形態においては、人体からの赤外線は筐体部８を透過して監視装置本体内に透過するので、当該筐体部８が本発明の透過部を成している。
【００２１】
かかるミラー部９は、筐体部１内部に固定された支持体１１に対して可動な樹脂成形部品から成る可動部材１０にて支持されている。この可動部材１０は、筐体部８内への遠赤外線の入射方向に応じてミラー部９の向き及び角度を調整するもので、当該可動部材１０自体がＬ２軸を中心に回転してミラー部９の水平方向の向きを調整し得るとともに、Ｌ１軸を中心として可動部材１０に対してミラー部９を揺動させて、その天井面に対する角度を調整し得るよう構成されている。
【００２２】
具体的には、可動部材１０には、第１係止部１０ａと第２係止部１０ｂとが形成されており、ミラー部９の側面に沿って形成された凹凸形状９ａと第１係止部１０ａとが対向した位置とされるとともに、支持体１０に形成された凹凸形状１１ａと第２係止部１０ｂとが対向した位置とされつつそれぞれ配置している。即ち、第１係止部１０ａ及び第２係止部１０ｂは、それぞれ凹凸形状９ａ又は１１ａにおける何れかの凹部と係止しており、ミラー部９を所定の向き及び角度にて固定している。尚、支持体１１における凹凸形状１１ａが形成された部位、及びミラー部９における凹凸形状９ａが形成された部位が本発明の被係止部に相当する。
【００２３】
また、ミラー部９の角度を調整すべく、可動部材１０をＬ１軸を中心に揺動させると、第１係止部１０ａが凹凸形状９ａに沿って撓みつつ追従し、当該凹凸形状９ａの何れかの凹部に選択的に係止可能とされるとともに、ミラー部９の向きを調整すべく、可動部材１０をＬ２軸を中心に回転させると、第２係止部１０ｂが凹凸形状１１ａに沿って撓みつつ追従し、当該凹凸形状１１ａの何れかの凹部に選択的に係止可能とされている。
【００２４】
一方、第１係止部１０ａ及び第２係止部１０ｂの近傍には、それぞれ押圧部材１２、１３が配設されている。これら押圧部材１２、１３は、ベース部７に筐体部８を取り付けた状態にて第１係止部１０ａ及び第２係止部１０ｂを被係止部である凹凸形状９ａ及び１１ａに押圧するためのもので、それぞれＪ１、Ｊ２を中心に回動可能とされた比較的剛性の高い部材から成る。
【００２５】
具体的には、押圧部材１２は、ベース部７側に延びた第１腕部１２ａと、第１係止部１０ａまで延びた第２腕部１２ｂとを有しているとともに、押圧部材１３は、ベース部７側に延びた第３腕部１３ａと、第２係止部１０ｂまで延びた第４腕部１３ｂとを有している。そして、ベース部７に筐体部８を取り付けて図９に示した状態とすると、押圧部材１２の第１腕部１２ａ及び押圧部材１３の第３腕部１３ａがそれぞれ当該ベース部７にて押圧される。
【００２６】
これにより、押圧部材１２がＪ１を中心にａ方向へ回動し、その第２腕部１２ｂが第１係止部１０ａを凹凸形状９ａ側に押圧するとともに、押圧部材１３がＪ２を中心にｂ方向へ回動し、その第４腕部１３ｂが第２係止部１０ｂを凹凸形状１１ａ側へ押圧する。従って、第１の実施形態と同様、第１係止部１０ａや第２係止部１０ｂに弾性疲労が生じても、それらと対応する凹凸形状９ａ又は１１ａにおける凹部への係止力を維持することができ、検知センサの位置ずれを確実に防止することができる。
【００２７】
以上、本実施形態について説明したが、本発明はこれらに限定されるものではなく、例えば近赤外線や他の熱線を投射してその反射を受けることにより、人の検知を行うものや、熱線（遠赤外線や近赤外線）を投射する素子及び受ける素子を持った熱線センサを対向配置しておくタイプのものにおいても適用することができる。また、押圧部材は、係止部に筐体部を取り付けた状態にて係止部を被係止部側（凹凸形状側）に押圧するものであれば足り、ベース部側、筐体側のいずれに配設するようにしてもよい。
【００２８】
更に、本発明においては、可動部材に熱線を検知する検知センサを具備させ、人の検知を行って監視を図っているが、本発明はこれに限定されず、可動部材にＣＣＤカメラ等の撮像手段を具備させ、透過部を透過した可視光を撮像することにより侵入者等の監視を行うものに適用してもよい。即ち、本明細書における「光」は、遠赤外線や近赤外線等の熱線の他、可視光など他の波長範囲のものも含むものである。この場合、監視装置本体に設けられる透過部は、光を収束させる必要はなく、撮像手段が具備するレンズにて収束されることとなる。
【００２９】
【発明の効果】
請求項１の発明によれば、ベース部に筐体部を取り付けた状態にて係止部を被係止部側に押圧する押圧部材が形成されているので、係止部に弾性疲労が生じても凹凸形状における凹部への係止力を維持することができ、検知センサ又は撮像手段の位置ずれを確実に防止することができる。
【図面の簡単な説明】
【図１】本発明の第１実施形態に係る監視装置としての熱線センサを示す３面図（正面図、上面図及び右側面図）
【図２】図１におけるＩＩ―ＩＩ線断面図
【図３】図１におけるＩＩＩ―ＩＩＩ線断面図
【図４】本発明の第１実施形態に係る監視装置としての熱線センサにおける可動部材を示す正面図
【図５】同ベース部から筐体部を取り外した状態を示し、係止部が歪んだ状態を示す断面図
【図６】図５におけるＶＩ―ＶＩ線矢視図
【図７】本発明の第１実施形態に係る監視装置としての熱線センサにおいて、検知センサの位置調整後、ベース部に筐体部を再び取り付けた状態を示す縦断面図
【図８】本発明の第２の実施形態に係る監視装置としての熱線センサを示す断面図（ベース部から筐体部を取り外した状態）
【図９】本発明の第２の実施形態に係る熱線センサを示す断面図（ベース部に筐体部を取り付けた状態）
【図１０】従来の監視装置としての熱線センサを示す縦断面図
【符号の説明】
１…筐体部（監視装置本体）
２…ベース部（監視装置本体）
３…透過部
４…被係止部
４ａ…凹凸形状
５…可動部材
５ａ…係止部
６…押圧部材
７…ベース部（監視装置本体）
８…筐体部（監視装置本体）（透過部）
９…ミラー部
９ａ…凹凸形状
１０…可動部材
１０ａ…第１係止部
１０ｂ…第２係止部
１１…支持体
１１ａ…凹凸形状
１２、１３…押圧部材
Ｓ…検知センサ
【図１】
2004362148.tif 000003
【図２】
2004362148.tif 000004
【図３】
2004362148.tif 000005
【図４】
2004362148.tif 000006
【図５】
2004362148.tif 000007
【図６】
2004362148.tif 000008
【図７】
2004362148.tif 000009
【図８】
2004362148.tif 000010
【図９】
2004362148.tif 000011
【図１０】
2004362148.tif 000012